(57)【要約】【課題】本考案は、枠材の正面に表出する部分を超薄幅構造とし、且つ、簡略安価な構造であり、種々の壁面等への取り付けも極めて容易なホワイトボード構造体を提供するものである。【解決手段】本考案のホワイトボード構造体１は、表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体２と、このボード本体の外周部に装着されて当該外周部全体を囲む枠材７と、を有し、前記枠材７の正面に表出する部分を３ｍｍ以下〜１ｍｍ以上の超薄幅に形成したことを特徴とするものである。【選択図】図３
0003115387.tif 000002
【実用新案登録請求の範囲】
【請求項１】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、
このボード本体の外周部に装着されて当該外周部全体を囲む枠材と、
を有し、
前記枠材の正面に表出する部分を３ｍｍ以下〜１ｍｍ以上の超薄幅に形成したことを特徴とするホワイトボード構造体。
【請求項２】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、
このボード本体の外周部に装着されて当該外周部全体を囲む枠材と、
前記ボード本体を取り付ける壁面に固定されて、前記ボード本体の裏面側に磁力を作用して前記ボード本体を壁面側に吸着固定する磁力吸着手段と、
を有し、
前記枠材の正面に表出する部分を３ｍｍ以下〜１ｍｍ以上の超薄幅に形成したことを特徴とするホワイトボード構造体。
【請求項３】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、
このボード本体の外周部に装着されて当該外周部全体を囲む枠材と、
前記ボード本体を取り付ける壁面において、前記ボード本体の四隅に対応する位置又は四隅近傍に対応する位置に固定されて、前記ボード本体の裏面側に磁力を作用して前記ボード本体を壁面側に吸着固定する４個の磁石と、
を有し、
前記枠材の正面に表出する部分を３ｍｍ以下〜１ｍｍ以上の超薄幅に形成したことを特徴とするホワイトボード構造体。
【請求項４】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、
このボード本体の外周部に装着されて当該外周部全体を囲む枠材と、
を有し、
前記ボード本体の外周縁を、ゴム等からなる軟質な押し出し縁材をもって前記枠材の内周に嵌着できるようにし、前記枠材の正面に表出する部分を３ｍｍ以下〜１ｍｍ以上の超薄幅に形成したことを特徴とするホワイトボード構造体。
【請求項５】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、このボード本体の外周部に装着されて当該外周部全体を囲む枠材と、を有するホワイトボード構造体であって、
前記ホワイトボード構造体を２個配置してこれら２個のホワイトボード構造体を取り付ける壁面に固定されて、当該２個のホワイトボード構造体の外周部全体を固定枠材により包囲して装着できるように構成し、
前記ホワイトボード構造体の外周縁を、ゴム等からなる軟質な押し出し縁材をもって前記固定枠材の内周に嵌着できるようにし、前記枠材、固定枠材の各正面に表出する部分を３ｍｍ以下〜１ｍｍ以上の超薄幅に形成したことを特徴とするホワイトボード構造体。
【請求項６】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、
このボード本体の外周部に装着されて当該外周部全体を囲む枠材と
前記ボード本体を取り付ける壁面に固定されて、前記ボード本体の裏面側に磁力を作用して前記ボード本体を壁面側に吸着固定する磁力吸着手段と、
を有するホワイトボード構造体であって、
前記枠材の正面に表出する部分を３ｍｍ以下〜１ｍｍ以上の超薄幅に形成したことを特徴とするとともに、前記ホワイトボード構造体を壁面に任意数並設したことを特徴とするホワイトボード兼用壁面構造体。
【請求項７】
表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、
このボード本体の外周部に装着されて当該外周部全体を囲む枠材と
前記ホワイトボード構造体を取り付ける壁面に固定されて、当該ホワイトボード構造体の外周縁を、ゴム等からなる軟質な押し出し縁材をもって内周に嵌着できるようにした固定枠材と、
を有するホワイトボード構造体であって、
前記枠材の正面に表出する部分を３ｍｍ以下〜１ｍｍ以上の超薄幅に形成したことを特徴とするとともに、前記ホワイトボード構造体を壁面に任意数並設したことを特徴とするホワイトボード兼用壁面構造体。
【考案の詳細な説明】
【技術分野】
【０００１】
本考案は、ホワイトボード構造体及びホワイトボード兼用壁面構造体に関し、詳しくは文字、図等を記して多数の者に視認させるホワイトボード構造体、及びこのホワイトボード構造体を用いたホワイトボード兼用壁面構造体関するものである。
【背景技術】
【０００２】
従来のこの種のホワイトボードとして、例えば図９に示すものが知られている。この従来のホワイトボード１００は、芯材１０１を表面板１０２及び裏面板１０３により挟むとともに、例えば合成樹脂材等からなる板状の芯材１０１の上辺、下辺及び両側辺を断面長方形状の縁枠材１０４で囲み、更にこれら全体の外周部を囲み、且つ、挟み込むようにして外枠材１０５を配置してボード本体１１０を構成し、前記外枠材１０５の外側から縁枠材１０４に対してネジ１０６をねじ込んで前記外枠材１０５がボード本体１１０の外周を保護するようにして固定したものである。
前記ボード本体１１０の下部を占める外枠材１０５の部分には、マーカーペン等を載置するためのトレー１０７を取り付けている。
【０００３】
しかし、例示する従来におけるホワイトボード１００の場合、外枠材１０５の正面に表出する部分はかなり幅広に形成されているとともに、複雑な形状のアルミ押出材や、樹脂成形品等を用いて構成部材を形成しているため、構造が複雑で組み立ても容易ではなく高価となるとともに、ボード本体１１０の厚さ寸法も、例えば数ｃｍ程度と厚いもので、壁面への取り付け等の取り扱いが煩雑であり、更にはこのホワイトボード１００を使用して壁面構造体を構築するというような斬新性は存在しない。
【０００４】
特許文献１には、強磁性材により形成した表示板と、プラスチック又はゴムからなるフレーム体と、このフレーム体に組み込んだ４個の磁石とを有し、４個の磁石により表示板をフレーム体に吸着するとともに４個の磁石によりフレーム体の背面側を強磁性材からなる取付壁面に取り付けるように構成したホワイトボードが提案されている。
【０００５】
しかし、この特許文献１のホワイトボードの場合、前記図示する従来例と同様に、外枠材の正面に表出する部分はかなり幅広に形成されているとともに、ボード本体の厚みがあるものであり、取付壁面の素材は強磁性材に限定されるもので、取り付け対象である壁面が狭範囲に限られてしまうものであるとともに、このホワイトボードを使用して壁面構造体を構築するというような斬新性は存在しないものである。
【特許文献１】特開２００３−２３１３９０号公報
【考案の開示】
【考案が解決しようとする課題】
【０００６】
解決しようとする問題点は、（外）枠材の正面に表出する部分が超薄幅で、且つ、簡略安価な構造であり、種々の壁面等への取り付けも極めて容易なホワイトボード構造体が存在しない点、更には、ホワイトボード構造体を利用して斬新な壁面構成が可能な構造体が存在しない点である。
【課題を解決するための手段】
【０００７】
本考案ホワイトボード構造体は、（外）枠材の正面に表出する部分を超薄幅に形成したことを主要な特徴とし、同時に、表面側が光沢コーティング処理され、裏面側が磁性材で形成されて全体として薄型に形成したボード本体として実現し、加えて、このホワイトボード構造体を利用して斬新な壁面構成が可能な壁面構造体としたことを主要な特徴とする。
【考案の効果】
【０００８】
本考案によれば、以下の効果を奏する。
請求項１乃至３記載の考案によれば、枠材の正面に表出する部分を３ｍｍ以下〜１ｍｍ以上に形成した超薄幅型構造であり、磁力吸着手段、磁石を利用しての壁面等への取り付け、更には壁面等からの取り外しが極めて容易なホワイトボード構造体を提供することができる。この場合、ネジでもって磁石を壁面に固定した場合には、当該壁面の材質は磁性材、非磁性材のいずれでも支障はなく、従って、壁面としては、木製壁面、コンクリート壁面、間仕切り壁面、スチール壁面等、幅広く選定することができる。
【０００９】
請求項４記載の考案によれば、枠材の正面に表出する部分を３ｍｍ以下〜１ｍｍ以上に形成した超薄幅型構造であり、前記枠体を壁面にネジ止め固定し、前記ボード本体の外周縁を、ゴム等からなる軟質な押し出し縁材をもって前記枠材の内周に嵌着できるようにしたことにより、壁面等への取り付け、更には壁面等からの取り外しが極めて容易なホワイトボード構造体を提供することができる。この場合、壁面としては、木製壁面、コンクリート壁面、間仕切り壁面、スチール壁面等、幅広くこのホワイトボード構造体を適用できる。
【００１０】
請求項５記載の考案によれば、枠材の正面に表出する部分を３ｍｍ以下〜１ｍｍ以上に形成した超薄幅型構造のボード構造体を２個並列配置とし、これら２個のホワイトボード構造体を取り付ける壁面に固定されて当該２個のホワイトボード構造体の外周部全体を固定枠材により包囲して装着できるように構成したボード本体連結体を具備し、このホワイトボード構造体の外周縁を、ゴム等からなる軟質な押し出し縁材をもって前記ボード本体連結体における枠材の内周に嵌着できるようにした構成とすることで、ホワイトボードとして機能する面積を拡大し、文字や図の記載範囲の拡大を図ることができるホワイトボード構造体を提供することができる。
【００１１】
請求項６、７記載の考案によれば、個々のホワイトボード構造体としての機能は勿論のこと、多数のホワイトボード構造体群全体として広面積のホワイトボード機能を兼用させることができる斬新な壁面構造を構築することができるボード兼用壁面構造体を提供することができる。当該ボード本体の表面側の色を（例えば）白、グレー、うす緑やうすピンク等の中から選定することにより、広面積のホワイトボード機能を兼用し色彩感あふれる斬新な壁面構造を構築することができる。
【考案を実施するための最良の形態】
【００１２】
本考案は、枠材の正面に表出する部分を３ｍｍ以下〜１ｍｍ以上に形成した超薄幅型構造で、且つ、簡略安価な構造であり、種々の壁面等への取り付けも極めて容易なホワイトボード構造体を提供するという目的を、表面側が鉄材等からなり光沢コーティング処理され、裏面側が鉄材等の磁性材で形成されて、当該表面側と裏面側との各材の間に、発泡材等からなる板状の合成樹脂材を挟んで三層構造にしてこれら三層を矩形状に形成したボード本体と、このボード本体の外周部に装着されて当該外周部全体を囲む枠材と、前記ボード本体を取り付ける壁面に固定されて、前記ボード本体の裏面側に磁力を作用して前記ボード本体を壁面側に吸着固定する磁力吸着手段とを有し、前記枠材の正面に表出する部分を３ｍｍ以下〜１ｍｍ以上の超薄幅に形成したことを特徴とする構成により実現した。
【実施例】
【００１３】
以下に、本考案に係る実施例について図面を参照して詳細に説明する。
（実施例１）
本実施例１は、建物内の部屋の例えば壁面３に取り付けた磁力吸着手段を利用してボード本体２を吸着固定するホワイトボード構造体１に関するものである。
【００１４】
本実施例１に係るホワイトボード構造体１は、図１、図２に示すように、ボード本体２と、このボード本体２を壁面３側に吸着固定するために壁面３側（又はボード本体２の裏面側）に取り付けられる磁力吸着手段である例えば４個の磁石１１とを有している。
【００１５】
前記ボード本体２は、図２、更には、図３に拡大して示すように、表面側の例えば磁性金属板（鉄板等）からなる矩形状の板材４と、裏面側の矩形状の磁性金属板（鉄板等）５と、前記表面側の板材４及び裏面側の磁性金属板５の間に挟んだ例えば発泡材等からなる板状の合成樹脂材６と、これら三層構造にした外周部全体を囲む例えばアルミニウム製で断面Ｌ状に形成した枠材７とを有している。そして、図３に示すように、前記枠材７の正面に表出する部分の幅ｔを３ｍｍ以下〜１ｍｍ以上の超薄幅に形成している。
【００１６】
前記表面側の板材４は、その表面を、例えば白、グレー、うす緑、うすピンク等から選定される色を呈するように光沢コーティング処理を施している。
【００１７】
前記枠材７は、図３に拡大して示すように、枠材７の正面に表出する部分の幅ｔを３ｍｍ以下〜１ｍｍ以上の超薄幅に形成されていて、断面Ｌ状を呈する一体の端縁当接片７ａと裏面当接片７ｂとを具備し、端縁当接片７ａを板材４、合成樹脂材６、磁性金属板５の端縁に密接させ、裏面当接片７ｂを磁性金属板５の外周部に密接させる状態で、接着剤等の手段又は端縁当接片７ａ、裏面当接片７ｂから磁性金属板５へのビス止め手段（図示せず）をもって、枠材７をボード本体２の端面に取り付けている。また、端縁当接片７ａの突出端は板材４の表面と略同一面となるように取り付けている。
【００１８】
前記枠材７をボード本体２の端面に取り付ける手段としては、図４に示すように、枠材７の端縁当接片７ａにおける内側面をやや湾曲状部７ｃに形成し、当該湾曲状７ｃの部分に例えばゴム材、塩化ビニル材、エラストマー材等からなる軟質な押し出し縁材７ｄを配置して、この手段でもって枠材７をボード本体２の端面に取り付けるようにしても良い。
【００１９】
前記壁面３には、図１、図２に示すように、前記ボード本体２の四隅に対応する又は四隅近傍に対応する配置に、例えば厚さ８ｍｍ程度の４個の磁石１１を（例えばネジ１２を用いてネジ止め）固定している。
実施例１では、これらの磁石１１により、前記ボード本体２の裏面側に各々磁力を作用して前記ボード本体２を壁面３側に吸着固定するようにしている。
【００２０】
前記磁石１１の壁面３に対する取り付けは、例えば、磁石１１に予め段付き孔１３を２箇所所定の間隔で穿設しておき、磁石１１を壁面の所定の位置に接触させ、各段付き孔１３からネジ１２を壁面３内にねじ込むことにより行うようにしても良い。
【００２１】
上述した構成からなる本実施例１によれば、枠材７の正面に表出する部分の幅ｔを３ｍｍ以下〜１ｍｍ以上の超薄幅に形成した構造であり、各磁石１１を利用して壁面３等への取り付け、更には壁面３等からの取り外しが極めて容易な超薄型ホワイトボード構造体１を提供することができる。
【００２２】
本実施例１の場合、前記磁石１１を壁面３にネジ止め固定した場合、壁面３の材質は磁性材、非磁性材のいずれでも支障はなく、したがって壁面３としては木製壁面、コンクリート壁面、間仕切り壁面、スチール壁面等、幅広く選定できる利点がある。
【００２３】
（実施例２）
次に、図５を参照して本考案の実施例２に係るホワイトボード構造体３１について説明する。
【００２４】
本実施例２のホワイトボード構造体３１は、図５に示すように、実施例１と同様の三層構造で枠材７を具備するボード本体３２と、このボード本体３２を取り付ける壁面３に対して隅部補強体４１を介在してネジ止め４２で固定され、前記ボード本体３２を嵌着状態で保持する矩形状の固定枠体４０とを有している。
【００２５】
前記枠材７をボード本体３２の端面に取り付ける手段としては、図３、図４をもって実施例１で説明したと同じように、接着剤等の手段又は端縁当接片７ａ、裏面当接片７ｂから磁性金属板５へのビス止め手段（図示せず）をもって、枠材７をボード本体３２の端面に取り付けるようにするか、或いは枠材７の端縁当接片７ａにおける内側面をやや湾曲状部７ｃに形成し、当該湾曲状７ｃの部分にゴム等からなる軟質な押し出し縁材７ｄを配置しこの手段でもって枠材７をボード本体３２の端面に取り付けるようにしている。
【００２６】
前記固定枠体４０とボード本体３２との取り付けは、固定枠体４０の内面と、ボード本体３２の外面との間に、ゴム等からなる軟質な押し出し縁材７ｄを配置し、この手段でもって固定枠体４０とボード本体３２とを嵌着状態に取り付けるようにしている。
【００２７】
前記ボード本体３２は、実施例１の場合と同様に、表面側の板材４、板状の合成樹脂材６、裏面側の磁性金属板５の三層の積層構造で、且つ、これら三層構造にした外周部全体を囲む例えばアルミニウム製で断面Ｌ状に形成した枠材７とを有している。そして、前記固定枠体４０、枠材７の各正面に表出する部分を３ｍｍ以下〜１ｍｍ以上の超薄幅に形成したことを特徴とするものである。
【００２８】
実施例２に係るホワイトボード構造体３１によれば、図６に示すように、壁面３に対してホワイトボード構造体３１を例えば横方向に２個並設して実施することもでき、この場合、全体として広い面積を有して、文字や図等の記載領域の拡大を図ったホワイトボード構造体を提供することができる。なお、図６の状態のホワイトボード構造体の場合、前記枠材７を用いることなく固定枠体４０をもって枠材７に代替させることができる。
【００２９】
（実施例３）
図７は本考案の実施例３に係るホワイトボード兼用とした壁面構造体５１を示すものである。
【００３０】
このホワイトボード兼用壁面構造体５１は、例えば事務所等の部屋内の木壁やコンクリート壁等の壁面３に対して、実施例１の場合のホワイトボード構造体１を実施例１の場合と同様にして磁力吸着手段、例えば磁石１１を用いて多数縦横に列設して構成したものである。
【００３１】
なお、図７においては、壁面３に対して横方向に３個、縦方向に３個列設した状態を示すが、ホワイトボード構造体１の列設個数は、部屋内の壁面３の高さや幅に応じて種々に選定できることは勿論である。
【００３２】
実施例３に係るホワイトボード兼用壁面構造体５１によれば、個々の各ホワイトボード構造体１としての機能は勿論のこと、多数のホワイトボード構造体１群全体として広面積のホワイトボード機能を兼用させることができる極めて斬新な壁面構造を構築することができる。また、ボード本体２の表面側の板材４の色を白、グレー、うす緑、うすピンク等の中から選定することにより、広面積のホワイトボード機能を兼用し、且つ、色彩感あふれる斬新な壁面構造を構築することができる。
【００３３】
（実施例４）
図８は本考案の実施例４に係るホワイトボード兼用とした壁面構造体７１を示すものである。
このホワイトボード兼用壁面構造体７１は、例えば事務所等の部屋内の木壁やコンクリート壁等の壁面３に対して、実施例２の場合のホワイトボード構造体３１を実施例２の場合と同様にして多数縦横に列設して構成したものである。
なお、図８においては、壁面３に対して横方向に３個、縦方向に３個列設した状態を示すが、ホワイトボード構造体３１の列設個数は、部屋内の壁面３の高さや幅に応じて種々に選定できることは勿論である。
【００３４】
本実施例４に係るホワイトボード兼用壁面構造体７１によれば、前記実施例２の場合と同様、個々のホワイトボード構造体３１としての機能は勿論のこと、多数のホワイトボード構造体３１群全体として広面積のホワイトボード機能を兼用させることができる斬新な壁面構造を構築することができる。なお、図８に示す状態のホワイトボード壁面構造体の場合、前記枠材７を用いることなく固定枠体４０をもって枠材７に代替させることができる。
【００３５】
また、ボード本体２の表面側の板材４の色を白、グレー、うす緑、うすピンク等の中から選定することにより、広面積のホワイトボード機能を兼用し、且つ、色彩感あふれる斬新な壁面構造を構築することができる。
【産業上の利用可能性】
【００３６】
本考案に係るホワイトボード構造体及びホワイトボード兼用壁面構造体は、オフィスビル、工場、店舗、官庁や公共機関の建物、一般家庭等の室内の各種の壁面等に対して幅広く適用できる。
【図面の簡単な説明】
【００３７】
【図１】本考案の実施例１に係るホワイトボード構造体の壁面に対する取り付け状態を示す概略斜視図である。
【図２】本考案の実施例１に係るホワイトボード構造体の部分拡大断面図である。
【図３】本考案の実施例１に係るホワイトボード構造体の隅部を図示する部分拡大断面図である。
【図４】本考案の実施例２に係る変形例のホワイトボード構造体の隅部を図示する部分拡大断面図である。
【図５】本考案の実施例２に係るホワイトボード構造体の固定枠を図示する平面図である。
【図６】本考案の実施例２に係るホワイトボード構造体を２個並設したホワイトボード構造体を示す斜視図である。
【図７】本考案の実施例１に係るホワイトボード構造体を使用したホワイトボード壁面構造体を示す斜視図である。
【図８】本考案の実施例２に係るホワイトボード構造体を使用したホワイトボード壁面構造体を示す斜視図である。
【図９】従来のホワイトボードの一例を示す概略断面図である。
【符号の説明】
【００３８】
１    ホワイトボード構造体
２    ボード本体
３    壁面
４    板材
５    磁性金属板
６    合成樹脂材
７    枠材
７ａ  端縁当接片
７ｂ  裏面当接片
１１    磁石
１２    ネジ
３１    ホワイトボード構造体
３２    ボード本体
４０    固定枠体
４２    止めネジ
５１    ホワイトボード兼用壁面構造体
７１    ホワイトボード兼用壁面構造体
【図１】
0003115387.tif 000003
【図２】
0003115387.tif 000004
【図３】
0003115387.tif 000005
【図４】
0003115387.tif 000006
【図５】
0003115387.tif 000007
【図６】
0003115387.tif 000008
【図７】
0003115387.tif 000009
【図８】
0003115387.tif 000010
【図９】
0003115387.tif 000011